(57)【要約】【課題】帳票の印刷、作製が容易な受験票用の帳票及びその製造方法を提案する。【解決手段】受験票用帳票として、上紙と、その一部に裏側から貼着した下紙とからなり、少なくとも受験者の宛名表示部と、主催者の情報表示部とを上紙のみの部分に設けると共に、上紙と下紙とが重なった部分には、上紙の裏面に粘着剤層を設けると共にそれと対応する下紙の上面に剥離層を設けた１乃至複数の受験番号等表示部がラベルとして剥離可能に設けられ、さらにこの受験番号等表示部とは別の位置には、上紙の裏面に剥離層を設けると共にそれと対応する下紙の上面に粘着剤層を設けて露出する粘着剤層に写真を貼付可能とした写真貼付部が剥離可能に設けられるという手段を採用した。また、上記写真貼付部の角隅部分にその剥離を容易とする耳片を設けるという手段を採用した。【選択図】図２
2014079921.tif 000002
【特許請求の範囲】
【請求項１】
上紙と、その一部に裏側から貼着した下紙とからなり、少なくとも受験者の宛名表示部と、主催者の情報表示部とを上紙のみの部分に設けると共に、上紙と下紙とが重なった部分には、上紙の裏面に粘着剤層を設けると共にそれと対応する下紙の上面に剥離層を設けた１乃至複数の受験番号等表示部がラベルとして剥離可能に設けられ、さらにこの受験番号等表示部とは別の位置には、上紙の裏面に剥離層を設けると共にそれと対応する下紙の上面に粘着剤層を設けて露出する粘着剤層に写真を貼付可能とした写真貼付部が剥離可能に設けられていることを特徴とする受験票用帳票。
【請求項２】
上記写真貼付部の角隅部分にその剥離を容易とする耳片を設けた請求項１記載の受験票用帳票。
【請求項３】
上記受験番号等表示部は、表面に受験番号が印刷されると共に、上紙の下面と下紙の上面の間に、上から順に粘着剤層、剥離層、目止め剤層が介在し、上記写真貼付部は、上面に指示事項が印刷されると共に、上紙の下面と下紙の上面の間に、上から順に剥離層、粘着剤層が介在し、さらに、上記受験番号等表示部及び写真貼付部の周囲を囲むように、少なくとも上紙を切断するハーフカットを施して受験番号等表示部と写真貼付部を剥離可能とした請求項１又は請求項２記載の受験票用帳票。
【請求項４】
上紙の表面に表面印刷ローラーによって主催者側の情報等、必要な固定的情報を印刷する固定情報印刷工程と、上紙の裏面にシリコン系離型剤塗布ローラーによって剥離剤としてのシリコン系離型剤を写真貼付部と対応する位置に塗布して剥離層を構成する剥離剤α塗布工程を経て上紙巻取を保管する一方、下紙の受験番号等表示部と対応する位置にシリコン塗布ローラーによって剥離剤としてのシリコンを塗布して剥離層を構成する剥離剤β塗布工程と、塗布したシリコンを硬化させるための硬化処理工程と、下紙全面に糊塗布ローラーによってホットメルトタイプの糊を塗布して粘着剤層を構成する粘着剤塗布工程と、糊を塗布した下紙と、上記保管した上紙巻取の上紙を丁合をとって貼り合わせる貼り合わせ工程と、貼り合わせた用紙の受験番号等表示部と写真貼付部となる個所の周囲にハーフカットの切込みを施すハーフカット処理工程とからなることを特徴とする受験票用帳票の製造方法。
【請求項５】
上記剥離剤β塗布工程の前に目止め剤としてのメジウムインキを塗布して下紙に目止め剤層を設ける工程を有する請求項４記載の受験票用帳票の製造方法。
【発明の詳細な説明】
【技術分野】
【０００１】
この発明は、入学試験や資格試験等の試験を受験する際に、受験票として用いる帳票に関するもので、併せてその製造方法についても開示する。
【背景技術】
【０００２】
受験票は、各種試験の受験希望者が提出した願書に基づき、試験主催者が受験希望者に送付するもので、受験に必要な諸事項を記載したものである。一般的には、試験主催者側の情報として、受験番号、試験会場、時間等が記載され、受験者側の情報としては、受験者の住所、氏名、顔写真等の個人情報等が記載されていることが多い。
【０００３】
そして、受験票の帳票としての様式として、種々の形式が採用されている。近年では、個人情報保護の観点から、記載内容が見えないようにするため、圧着式の葉書によるものや、単票又は三つ折り帳票を封書で送付するものなどが多く使用されている。
【０００４】
ところで、かかる受験票において、受験者個人を特定するためには、受験番号及び顔写真が重要な役割を果たしている。受験時には、答案用紙に受験番号を転記する必要があり、また、試験官によって顔写真の照合が行われる。
【０００５】
しかし、従来の方法では、受験番号を間違って記入してしまったり、マークシート方式の場合も、間違って番号を塗り潰してしまうといった問題がある。また、顔写真についても、受験者が自ら糊付けすることが多いが、場合によって、写真が途中で離脱してしまう場合もあった。
【０００６】
このような実情から、受験票等の帳票の処理において、特許文献１から特許文献３に記載されているような技術が開示されている。
【０００７】
特許文献１に開示された三つ折り封書は、特定面に受験者の氏名及び顔写真を印刷すると共に、受験番号のバーコードが印字されたシールが剥離可能に設けられた帳票であり、受験者がシールを解答用紙に貼付することで受験番号の誤記を防止するものである。また、顔写真が印刷されているので、脱落のおそれはない。
【０００８】
また、特許文献２に開示された個人識別ラベル帳票は、同様に、剥離可能な個人識別ラベルを有し、このラベルを解答用紙等に貼付するようにしたものである。
【０００９】
また、特許文献３に開示されたカード用紙は、写真の取扱いに関するもので、切り込み線によって囲まれた剥離可能な上地が形成され、この上地を剥離して粘着剤層を露出させ、写真を貼付するようにしたものである。
【先行技術文献】
【特許文献】
【００１０】
【特許文献１】特開２００８−２０１１３８号公報
【特許文献２】特開２０００−４３４５２号公報
【特許文献３】実開昭６２−１３８０５６号公報
【発明の概要】
【発明が解決しようとする課題】
【００１１】
上述したように、受験票として用いる帳票には、種々の形式が存在する。しかしながら、例えば特許文献１のものは、別途内側となるＢ面にシール部を構成する必要があり、また、顔写真は受験者が願書に貼付しなければならず、それを受験票作成時に改めて画像として読み込んでおく必要があるなど、なお、帳票の作成には手間を要するものであった。
【００１２】
また、特許文献２のものは、受験番号を解答用紙に記入する代わりにラベルを貼付するものであるから、受験者にとって、記入の手間やご記入等を防止する利点があるが、顔写真が表示されていないので、個人確認の点で問題が残るものである。
【００１３】
さらに、特許文献３のものは、写真による個人識別カードとして機能するもので、本願のような受験票用帳票に関するものではなく、受験番号をシール化することについてはまったく開示されていないものである。
【００１４】
本願発明は、これら従来の技術を踏まえて発明をしたものであって、単票からなる受験票において、独自の接着剤層と剥離剤層の配置を行うことで、ラベルと顔写真が同一面ににあるようにし、また、ノンインパクトプリンター等を用いて印刷する際の引っ掛かりや剥離を防止し、帳票の印刷、作製が容易な受験票用の帳票及びその製造方法を提案するものである。
【課題を解決するための手段】
【００１５】
上述した課題を解決するため、本発明に係る受験票用帳票は、上紙と、その一部に裏側から貼着した下紙とからなり、少なくとも受験者の宛名表示部と、主催者の情報表示部とを上紙のみの部分に設けると共に、上紙と下紙とが重なった部分には、上紙の裏面に粘着剤層を設けると共にそれと対応する下紙の上面に剥離層を設けた１乃至複数の受験番号等表示部がラベルとして剥離可能に設けられ、さらにこの受験番号等表示部とは別の位置には、上紙の裏面に剥離層を設けると共にそれと対応する下紙の上面に粘着剤層を設けて露出する粘着剤層に写真を貼付可能とした写真貼付部が剥離可能に設けられるという手段を採用した。
【００１６】
また、上記写真貼付部の角隅部分にその剥離を容易とする耳片を設けるという手段を採用した。
【００１７】
かかる手段によれば、受験番号等表示部はラベルとして剥がして解答用紙に貼付することが可能であり、一方、写真貼付部には写真を貼付可能となる。
【００１８】
そして、具体的には、上記受験番号等表示部は、表面に受験番号が印刷されると共に、上紙の下面と下紙の上面の間に、上から順に粘着剤層、剥離層、目止め剤層が介在し、上記写真貼付部は、上面に指示事項が印刷されると共に、上紙の下面と下紙の上面の間に、上から順に剥離層、粘着剤層が介在し、さらに、上記受験番号等表示部及び写真貼付部の周囲を囲むように、少なくとも上紙を切断するハーフカットを施して受験番号等表示部と写真貼付部を剥離可能とするという手段を採用した。
【００１９】
かかる構成により、受験番号等表示部を剥がすと、その裏面に粘着剤層が露出するので、解答用紙に貼付可能となる。また、写真貼付部を剥がすと、下紙に粘着剤層が露出するので、写真が貼付可能となる。
【００２０】
また、上記受験票用帳票の製造方法として、上紙の表面に表面印刷ローラーによって主催者側の情報等、必要な固定的情報を印刷する固定情報印刷工程と、上紙の裏面にシリコン系離型剤塗布ローラーによって剥離剤としてのシリコン系離型剤を写真貼付部と対応する位置に塗布して剥離層を構成する剥離剤α塗布工程を経て上紙巻取を保管する一方、下紙の受験番号等表示部と対応する位置にシリコン塗布ローラーによって剥離剤としてのシリコンを塗布して剥離層を構成する剥離剤β塗布工程と、塗布したシリコンを硬化させるための硬化処理工程と、下紙全面に糊塗布ローラーによってホットメルトタイプの糊を塗布して粘着剤層を構成する粘着剤塗布工程と、糊を塗布した下紙と、上記保管した上紙巻取の上紙を丁合をとって貼り合わせる貼り合わせ工程と、貼り合わせた用紙の受験番号等表示部と写真貼付部となる個所の周囲にハーフカットの切込みを施すハーフカット処理工程とからなるという手段を採用した。
【００２１】
そして、上記剥離剤β塗布工程の前に目止め剤としてのメジウムインキを塗布して下紙に目止め剤層を設ける工程を有するという手段を採用した。
【発明の効果】
【００２２】
上記構成の本発明に係る受験票用帳票によれば、以下の種々の効果が期待できる。
【００２３】
即ち、上述のように、受験番号等表示部と写真貼付部の剥離層の積層構造を異なるものとしたので、個別に下紙を用意することなく、一枚の下紙で、別の作用を奏する受験番号等表示部と写真貼付部を同一面上に形成することが可能となった。そのため、写真の貼付が容易となると共に、本人認証と受験番号を記載したラベルの剥離が容易に行える。
【００２４】
また、受験番号等表示部と写真貼付部以外の場所では、上紙と下紙が完全に接着されるので、ラベルとして受験番号等表示部を剥離したり、写真貼付部を剥離する際、周辺部が同時に剥離するといった問題がなく、きわめて容易に該部のみを剥離できる。
【００２５】
さらに、上紙と下紙は完全に接着されているため、ノンインパクトプリンター等を用いて完成した帳票に印刷する際に、下紙が不用意に上紙から剥離することがなく、印刷時の問題発生を防止できる。また、印刷時に引っ掛かりが生じないので、紙詰まり等も発生せず、スムーズな紙送りが可能となった。
【図面の簡単な説明】
【００２６】
【図１】本発明に係る受験票用帳票の一例を示す表面図である。
【図２】図１のＡ−Ａ線断面を説明するもので、（Ａ）は、上下の紙葉を重ね合わせる前の状態、（Ｂ）は、重ね合わせた後の完成品の状態、（Ｃ）は、必要部分を剥がした後の状態を示すものである。
【図３】本発明に係る受験票用帳票の製造方法の一例を示す説明図である。
【発明を実施するための形態】
【００２７】
以下、本発明に係る受験票用の帳票の好ましい実施形態を添付した図面について説明する。図１において、本願の帳票は、表面に各種の情報を印刷する上紙１と、上紙１の裏面側からその一部（図１の点線より左側部分）に重ねて貼着する下紙２とで構成する。
【００２８】
上紙１において、３は、受験者の住所・氏名等を表示した宛名表示部で、当該帳票を窓つき封筒に封入した際には、窓から露出して、郵便の宛先となる部分である。４は、試験主催者側の住所、名称、連絡先等を表示した情報表示部Ａである。また、５、６は、試験会場に関する情報を表示する部分で、例えば、５の情報表示部Ｂには会場の地図を、６の情報表示部Ｃには会場の名称、住所、問い合わせ先電話番号、受験番号等を表示する。なお、情報表示部Ａ〜Ｃに表示する情報は、上記に限定されるものではなく、試験主催者側が必要とする任意の情報を表示することができる。また、この宛名表示部３と各情報表示部４、５、６は上紙のみがある部分に設ける。
【００２９】
次に、上紙１と下紙２が重なった部分において、７、７・・・は、試験科目数に応じた数（図では５科目）だけ設ける受験番号等表示部、８は、受験者が自己の顔写真を貼付するための写真貼付部である。このうち、受験番号等表示部７は、ラベル（シール）として剥がすことが可能で、剥がした際には裏面に粘着剤層が露出し、受験時に別に用意された解答用紙の受験番号貼付欄に貼付することができるように構成されている。また、写真貼付部８は、剥離紙を剥がすことにより下紙２の表面が露出し、該部には粘着剤層が露出して、受験者が持参した写真を貼付できるように構成されている。なお、９は、この写真貼着部８の剥離紙を剥がしやすくするため、その角隅部分に形成された耳片である。この耳片９は必要に応じて設けるものである。
【００３０】
次に、この受験番号等表示部７と写真貼付部８の具体的な構成について、図２に従って説明する。図２は、図１のＡ−Ａ線断面部分の積層構造を模式的に表示したものであり、各層の厚さは実際の構成と相対するものではない。
【００３１】
図２において、１は上紙、２は下紙である。この上紙１の表面において、各受験番号表示部７、７・・・には同じ受験番号１３が印刷される。なお、受験番号に代え、それに対応するバーコードを印刷してもよい。また、写真貼付部８には、例えば「写真貼付欄  この部分を剥がせば糊面が出ます」という指示事項１４が印刷される。さらに、この写真貼付部８の裏面側には剥離剤αを塗布してなる剥離層１５が設けられている。なお、剥離剤αとしては基本的にはシリコン系離型剤を用いるが、シリコンを用いることも可能である。ここで、シリコン系離型剤とは、例えばカチオン重合で生成される離型剤をいう。
【００３２】
次に、下紙２の表面において、上記受験番号等表示部７、７・・のそれぞれと対応する位置に、目止め剤γを塗布してなる目止め剤層１６を設け、さらにその上に剥離剤βを塗布してなる剥離層１７を設けている。目止め剤γとしては例えばメジウムインキを用い、上記剥離剤βが下紙２に浸透することを防止している。なお剥離剤βとしてはシリコンを用いる。このシリコンとは、例えばラジカル反応で生成される離型剤をいう。
【００３３】
上記各層を配設した上紙１と下紙２は、両者間に全面に塗布された粘着剤δからなる粘着剤層１８を介して同図（Ｂ）に示したように互いに貼着される。なお、粘着剤δとしては、基本的にホットメルトタイプの糊を用いるが、エマルジョンタイプの糊を用いることも可能である。
【００３４】
従って、受験票用帳票としてほぼ完成した状態では、基本的には、上紙１と下紙２は粘着剤層１８を介して貼着されているが、受験番号等表示部７の部分では、上紙１の表面に受験番号１３が印刷されると共に、上紙１の下面と下紙２の上面との間に、上から順に、粘着剤層１８、剥離層１７、目止め剤層１６が介在することになる。また、写真貼付部８の部分では、上紙１の表面に指示事項１４が印刷されると共に、上紙１の下面と下紙２の上面との間に、上から順に、剥離層１５、粘着剤層１８が介在することになる。この場合、写真貼付部８の角隅部分には、耳片９を形成するために粘着剤層１８が存在しない部分を設けることもある。なお、図２は層構造が理解しやすいように模式的に示したものであり、実際は、各層は厚さが極めて薄いため、各部で凹凸が生じることはない。
【００３５】
続いて、上記構成の帳票において、上紙１の表面の各受験番号等表示部７、７・・、及び、写真貼付部８の周囲を囲むように、少なくとも上紙１を切断するハーフカット１９を施して、帳票が完成する。なお、このハーフカット１９は、上紙１を切断し、さらにその下の粘着剤層１８までは切断してもよいが、下紙２には到達せず、下紙２は切断しない深さとする。また、その大きさは、上記各層が存在する部分と一致するか、少し小さい領域を囲むように施す。
【００３６】
上記構成の受験票用帳票によれば、同図（Ｃ）に示すように、各受験番号表示部７、７・・については、これを上紙１から剥がすと、剥離層１７の存在により、その紙片の裏面に粘着剤層１８が露出した状態でラベル（シール）として剥がすことができる。従って、受験者は、このラベル紙片を試験の解答用紙に貼付することが可能であり、これによって、解答用紙に受験番号を記入する必要がないので、誤記等を確実に排除できる。一方、耳片９を用いて写真貼着部８を剥がすと、剥離層１５と共に剥がすことになるので、受験票には粘着剤層１８が露出する。そこで、受験者は該部に顔写真を確実に貼付することができ、これが容易に離脱することもない。
【００３７】
上記帳票において、主催者側の情報等、必要な固定的情報は予め印刷されているものとする。そして、ノンインパクトプリンターを用いて各帳票の所定個所に受験者の個々に固有の情報を印刷する。例えば、宛名表示部３には、受験者の郵便番号、住所、氏名等を、情報表示部Ｃの受験番号欄には受験番号を、そして、受験番号等表示部７、７・・には同じく受験番号を印刷する。そして、個々の受験者に送付する。
【００３８】
この場合、この帳票は、上述したように積層部分があるが、現実には薄く凹凸がないので、ノンインパクトプリンターによる印刷時に紙詰まり等の問題が発生することはなく、極めてスムーズに作業を行うことができる。
【００３９】
上記構成の受験票を受け取った受験者は、上述したように、先ず写真貼付部８を剥がして自己の顔写真を該部に貼付する。また、受験時には、解答用紙ごとに、剥がした受験番号等表示部７（ラベル紙片）を貼付することで、受験番号の記入に代えることができる。
【００４０】
次に、上記受験票用帳票の製造方法について、図３に従って説明する。同図（１）は、上紙巻取の製造工程を示すもので、ラインを流れる上紙１の表面に表面印刷ローラー２１によって主催者側の情報等、必要な固定的情報を印刷する固定情報印刷工程と、上紙の裏面にシリコン系離型剤塗布ローラー２２によって剥離剤としてのシリコン系離型剤を写真貼付部と対応する位置に塗布して剥離層１５を構成する剥離剤α塗布工程からなり、各工程を経た上紙は巻き取って上紙巻取２３として保管する。
【００４１】
また、同図（２）は、上紙１と下紙２を貼り合わせる工程を示すもので、下紙２の所定位置にシリコン塗布ローラー２４によって剥離剤としてのシリコンを塗布して剥離層１７を構成する剥離剤β塗布工程と、塗布したシリコンを硬化させるための硬化処理工程と、硬化処理したシリコンの上に糊塗布ローラー２５によってホットメルトタイプの糊を塗布して粘着剤層１８を構成する粘着剤塗布工程と、糊を塗布した下紙２と、上記上紙巻取２３の上紙１を丁合をとって貼り合わせる貼り合わせ工程と、貼り合わせた用紙の所定個所にトムソン刃２６等によりハーフカットの切込みを施すハーフカット処理工程とからなる。なお、図示していないが、下紙にシリコンを塗布する前には予め目止め剤としてのメジウムインキを塗布する工程を設けて目止め剤層を設けシリコンの浸透を防止する処理を施しておく。
【００４２】
かかるハーフカット処理工程を経た用紙は所定の大きさに切断され、受験票用帳票が完成する。
【００４３】
なお、受験番号や受験者の住所・氏名等の個人情報については、帳票として完成した後印刷してもよいし、上紙巻取の製造工程の後、下紙と貼り合わせる前に、上紙巻取の所定位置に印刷するものであってもよい。
【符号の説明】
【００４４】
１    上紙
２    下紙
３    宛名表示部
４    情報表示部Ａ
５    情報表示部Ｂ
６    情報表示部Ｃ
７    受験番号等表示部
８    写真貼付部
９    耳片
１３    受験番号
１４    指示事項
１５    剥離層
１６    目止め剤層
１７    剥離層
１８    粘着層
１９    ハーフカット
２１    表面印刷ローラー
２２    シリコン系離型剤塗布ローラー
２３    上紙巻取
２４    シリコン塗布ローラー
２５    糊塗布ローラー
２６    トムソン刃
【図１】
2014079921.tif 000003
【図２】
2014079921.tif 000004
【図３】
2014079921.tif 000005